(57)【要約】【目的】面倒なナット等の補足部品を一切使用しないで、レンズの表面と裏面にもレンズ止め部品が露出しないすっきりしたレンズ止め構造を提供する．【構成】レンズの支持部３にねじ溝１ｂが設けられている係止筒１の端部に縦に切り込みされた分岐部１ａを取着し、ねじの頭２ｃの径を小さくし、ねじの首部２ｂのピンの径を分岐部１ａの内径より少し大きくしたねじ２を浅く締め、丸のレンズ孔４に嵌め込み、裏側からねじ２を深く締めて分岐部１ａの拡径作用によりレンズ５を固定する．また、前記係止筒の外周面の突部１ｃや支持部３に窪み７を介在してレンズ５を固定する．【選択図】図１
2004177917.tif 000002
【特許請求の範囲】
【請求項１】
縁なし枠のレンズを支持する智及びブリッジの支持部３に、円筒形で内部中空部にねじ溝１ｂが設けられている係止筒１を連結し、該係止筒１の端部に縦の切り込みを設けた分岐部１ａを形成し、該分岐部１ａの拡径を可能とするためにねじの頭２ｃの径をレンズ孔４の径よりも小さくしたねじの首部２ｂのピンの径を分岐部１ａの内径より少し大きくしたねじ２を係止筒１に浅くねじ込みし、ドリルによって設けた丸のレンズ孔４に嵌め込み、裏側からドライバーでねじ２を再度締めることで分岐部１ａが拡径されてレンズ５を固定する縁なし枠のレンズ止め構造．
【請求項２】
前記係止筒１の外周面の一部が突設され、突設された該係止筒１に嵌合するレンズ孔４を設けてレンズ５を固定する請求項１記載の縁なし枠のレンズ止め構造
【請求項３】
前記係止筒１が連結する前記支持部３に窪み７を設けて植立されてレンズ５を固定する請求項１、又は２記載の縁なし枠のレンズ止め構造
【発明の詳細な説明】
【０００１】
【産業上の利用分野】
本発明は、縁なし枠のレンズ止め構造に関するものである．
【０００２】
【従来の技術】
従来の主な縁なし枠のレンズ止め構造には、レンズの裏面に細かいワッシャー、とナットが使用されていた．
一点止めが可能な楕円形や角穴等も同様にナット等が使用されていた．
また、従来の係止筒（パイプネジ）とねじを介して、レンズを固定するものもあった．
更に、ナット等を全く使用しないで接着剤で固定するものもあった．
【０００３】
【発明が解決しようとする課題】
しかしながら、上記従来のレンズ止めの多くは、作業に面倒な細かいナットやワッシャーが利用されており、レンズの裏面にこれらの部品が露出してデザイン上の欠点になっていた．
上記従来のパイプネジを利用したレンズ止めは、ナットの代用としてねじ頭でレンズの裏面を押圧固定するため、異なるレンズの肉厚によるねじの長さの切断調整が不可欠であり、大変面倒であった．
更に接着剤を使用する方法は、小売店での扱いができなく、工場での一括した集中加工でレンズ加工と接着作業を強要される欠点があった．
本発明は、面倒なナット等の補足部品を一切使用しないで、レンズの表面と裏面にもレンズ止め部品が露出しないすっきりしたレンズ止め構造を提供する．
【０００４】
【課題を解決するための手段】
請求項１記載の発明は、縁なし枠のレンズを支持する智及びブリッジの支持部３に、内部中空部にねじ溝１ｂが設けられている係止筒１（パイプネジ）を連結し、この係止筒１の端部に縦の切り込みを設けた分岐部１ａを形成する．
そして、ねじの頭２ｃの径をレンズ孔４の径よりも小さくし、この分岐部１ａの拡径を可能とするためにねじの首部２ｂのピンの径を分岐部１ａの内径より少し大きくしたねじ２を係止筒１に浅くねじ込みする．
そして、丸のレンズ孔４に嵌め込み、裏側からドライバーでねじ２を再度締めて分岐部１ａが拡径されてレンズ５を固定する．
請求項２記載の発明は、前記係止筒１の外周面の一部を突設し、この突設された係止筒１に嵌合するレンズ孔４を設けて上記同様にレンズ５を固定する．
請求項３記載の発明は、前記係止筒１が連結する前記支持部３に窪み７を設けて長目の係止筒１を植立させてレンズ５を固定する．
【０００５】
【作用】
請求項１記載の発明によれば、ねじの頭２ｃの径を小さくして、ねじ２の首部２ｂのピンの径を分岐部１ａの内径より少し大きくして、丸のレンズ孔４に嵌めて裏側からドライバーでねじ２を深くを締めることで、ねじ頭２ｃも全て内設されて分岐部１ａの拡径作用でレンズ５がレンズ支持部３の係止筒１に容易に固定される．
請求項２記載の発明によれば、上記作用に加えて、前記係止筒１の外周面に設けた突部１ｃがレンズ孔４に強く係止でき、レンズ止めの回転防止の補強になる．
請求項３記載の発明によれば、支持部３に窪み７を設けて長目の係止筒１を植立されて、係止筒１のねじ溝１ｂの増設が可能でねじ２の係止効率が良くなる．
【０００６】
【実施例】
図１は本発明の第１実施例の分解斜視図であり、縁なし枠のレンズを支持する智及びブリッジの支持部３に、円筒形の内部中空部にねじ溝１ｂが設けられている金属の係止筒１（パイプネジ）をロウ付けで連結し、この係止筒１の端部に縦の切り込みを設けた分岐部１ａを形成する．
そして、ねじの頭２ｃの径をレンズ孔４の径よりも小さくし、この分岐部１ａの拡径を可能とするためにねじの首部２ｂのピンの径を分岐部１ａの内径より少し大きくし、ねじ２を係止筒１に浅くねじ込みする．
更に、この係止筒１をドリルによって設けた丸のレンズ孔４に嵌め込み、裏側からドライバーでねじ２を再度深く締めて分岐部１ａの拡径作用でレンズ５を固定する．
このような構造であれば、ねじ頭２ｃも全て内設されて分岐部１ａの拡径作用でレンズ５が抜けたり、回転したりすることはなくレンズ支持部３の係止筒１に強く容易に固定される．
図３は本発明の第２実施例の斜視図であり、前記係止筒１の外周面の一部を突設し、この突設された係止筒１に嵌合するレンズ孔４を設けて前記同様の方法でレンズ５を固定する．
このような構造であれば、前記係止筒１の外周面に設けた突部１ｃがレンズ孔４に強く係止でき、レンズ止めの回転防止の補強になる．
図４は本発明の第３実施例の斜視図であり、前記係止筒１が連結する前記支持部３に窪み７を設けて長目の係止筒１を植立固定されている．
このような構造であれば、支持部３に窪み７を設けて係止筒１を植立されるので長目の係止筒１が使用でき、ねじ締めの係止部分が増えて締着効率が良くなくるとともに肉厚の薄いレンズにも対応できる．
図５に示すように、レンズの回転防止の補強としてレンズの縁端に従来使用の切欠８を増設して、この切欠８に嵌めるピン９を支持部３に増設することも、レンズの回転を２重に防止できる効果がある．
また、図示の実施例に限定されず、請求項１記載のレンズ止め構造にレンズの回転止めの補強として上記切欠８の代わりに２個目のレンズ孔を設けたり、レンズの縁端に当接する従来の金属の当て具を金属の支持部３に設けることも効果がある．
【０００７】
【発明の効果】
請求項１記載の発明によれば、一個の丸のレンズ孔だけでレンズを固定できるので、レンズの穴明け位置が自在になり、レンズの加工に失敗がなくレンズ加工が最も簡単で迅速にできる．
ワッシャ、ナット等の細かい面倒な部品が全く不要で、ブリッジやテンプルの係止筒にねじが込んだ状態の部品なので、部品の紛失がなくレンズの取付けと取外しが最も簡単に出来る．
ねじ頭の径がレンズ孔の径よりも小さく設定してレンズ孔の中にねじ頭も全て内設されており、レンズの裏面が非常にすっきりして、正面と横からも全くねじ頭も見えないというデザイン上のすばらしいメリットがある．
異なるレンズの肉厚による難しいねじ長さの切断調整が、ねじ頭の内設により全く不要となる効果が得られる．
ねじ締めによる分岐部の拡径作用で、大きい摩擦抵抗をも目的とした複数の分岐部の各片がレンズ孔内の壁に食い込むようになり、この分岐部の片が多いほどレンズ支持部の係止筒の回転や抜けを強力に防止する効果が得られる．
ナットで肉厚の薄いレンズの両面を押圧固定する従来の構造ではないので、ナットの締めつけの押圧力によるレンズのひび割れが解消される．
ねじと係止筒だけの非常に省力した最小限の部品ユニットで構成しており、生産効率が良く、低コストであり、素人でも失敗なく容易に迅速にレンズの加工と組立てが出来る効果が得られる．
請求項２記載の発明によれば、上記記載の丸のレンズ孔の簡単な加工の効果を除いた上記同様の効果に加えて、弾性に欠ける太いブリッジやテンプルを使用する枠には、レンズ止め部にかかる無理を避けるために、係止筒に設けられた突部がレンズに大きく係止でき、レンズ止めの回転防止を補強する効果が得られて良い．
請求項３記載の発明によれば、支持部に窪みを設けて長目の係止筒が植立されており、ねじ締めの係止効率が増すとともに高屈折素材や老眼の縁端の肉厚の薄いレンズにも対応できる効果が得られる．
【図面の簡単な説明】
【図１】この図は、本発明の第１実施例の分解斜視図である．
【図２】この図は、本発明の第１実施例のレンズを取付した部分拡大平面図である．
【図３】この図は、本発明の第２実施例の分解斜視図である．
【図４】この図は、本発明の第３実施例の窪み７の斜視図である．
【図５】この図は、本発明の実施例の切欠８とピン９を示す斜視図である．
【図６】この図は、従来使用のパイプネジ１を利用した部分平面図である．
【図７】この図は、本発明の第１実施例の拡大部分平面図である．
【図８】この図は、従来使用の縁なし枠でワッシャ、ナット等を使用した部分平面図である．
【図９】この図は、本発明の第１実施例の拡大部分平面図である．
【図１０】この図は、本発明の第１実施例の係止筒１の拡大斜視図である．
【図１１】この図は、本発明の第１実施例のレンズの取り付けする拡大平面図である．
【符号の説明】
１．係止筒    １ａ．分岐部    １ｂ．ねじ溝    １ｃ．突部
２．ねじ    ２ａ．ねじ山    ２ｂ．ねじの首部    ２ｃ．ねじの頭
３．支持部  ４．レンズ孔    ５．レンズ      ６．テンプル
７．窪み    ８．切欠      ９．ピン      １０．分離部
１１．ブリッジ      １２．ナット      １３．ワッシャ    １４．当て具
１５．ドライバー
【図１】
2004177917.tif 000003
【図２】
2004177917.tif 000004
【図３】
2004177917.tif 000005
【図４】
2004177917.tif 000006
【図５】
2004177917.tif 000007
【図６】
2004177917.tif 000008
【図７】
2004177917.tif 000009
【図８】
2004177917.tif 000010
【図９】
2004177917.tif 000011
【図１０】
2004177917.tif 000012
【図１１】
2004177917.tif 000013